(57)【要約】【課題】パタークラブのふらつきを防止して、プレーヤの手元を安定させて、ミスパットを減少させ、カップイン率を高めることができるパタークラブを提供する。【解決手段】本パタークラブは、打球用フェースを備えたパターヘッドと、このパターヘッドに取付けられたシャフトと、このシャフトの端部に取付けられたグリップとを有するパタークラブにおいて、このパタークラブ全体の重心がパターヘッドの先端からパタークラブの全長の４／９以上の位置にある。【選択図】  図１
2006014946.tif 000002
【特許請求の範囲】
【請求項１】
打球用フェースを備えたパターヘッドと、このパターヘッドに取付けられたシャフトと、このシャフトの端部に取付けられたグリップとを有するパタークラブにおいて、このパタークラブ全体の重心がパターヘッドの先端からパタークラブの全長の４／９以上の位置にあることを特徴とするパタークラブ。
【請求項２】
前記パタークラブの全長は１０００ｍｍ以下であって、前記重心の位置は前記グリップの端部から５００ｍｍ未満であることを特徴とする請求項１に記載のパタークラブ。
【請求項３】
前記パタークラブには、前記重心位置を調整するバランスウェートが設けられたことを特徴とする請求項１または２に記載のパタークラブ。
【請求項４】
前記バランスウエートは、前記シャフトのグリップ側端部から挿入、固定されていることを特徴とする請求項３に記載のパタークラブ。
【発明の詳細な説明】
【技術分野】
【０００１】
本発明はパタークラブに係り、特に重心位置をグリップ側に移したパタークラブに関する。
【背景技術】
【０００２】
ゴルフプレーに用いられるゴルフクラブは、質量のあるクラブヘッド、いずれも軽量のシャフト、グリップからなり、また、ゴルフクラブによって打撃されるゴルフボールの飛距離を出すために、その重心がクラブヘッドの先端からゴルフクラブの全長の１／４前後の位置になっており、また、図７に示すように、パットプレーに用いられる従来のパタークラブ１１も、その重心Ｇが他のゴルフクラブと同様にシャフト１３上のパターヘッド１２寄りにある。
【０００３】
しかし、ドライバークラブなどとは異なり、飛距離よりも繊細なストロークが要求されるパタークラブにあっては、従来のパタークラブのようにその重心がパターヘッド寄りにあると、アドレス（ボールを打つため、クラブをボールに接触させないでボールの後側にセットする構え）及びストローク時に、重心がパタークラブを支えているグリップから遠くにあるため、パターヘッドがふらつきやすく、正確にボールを目標に向かって転がすことが難しく、その結果カップイン率が低かった。
【０００４】
なお、特許文献１には、ホーゼル部の質量を増加させ、重心をパターヘッドからシャフト方向に移動させたパタークラブが提案されているが、このパタークラブは打球時の振動を抑え、プレーヤの手に不快な打球感が伝わる不具合を解消するものであり、プレーヤの手元を安定させ、ミスパットを減少させることはできない。また、特許文献２には、４分の１円板状部材からなるバランスウエートをグリップ端部に取付け、グリップの後端面を重くし、ドライバー、パタークラブによるボールの直進安定性を図ることを目的とした提案がなされているが、このバランスウエートは４分の１円板状であり、中心（ピン）に対して点対称な形状をなしていないため、その質量のアンバランスにより、飛距離よりも繊細なストロークが要求されるパタークラブにあっては、ストローク時に方向性に微妙な狂いが生じ、さらに、パタークラブの重心がパターヘッドの先端からパタークラブの全長の４／９以上の位置にすることが難しいので、ミスパットを減少させることができない。
【特許文献１】実開平５−５６１６６号公報（段落［００１５］、図１）
【特許文献２】特開２００２−２８２４０２号公報（段落［０００７］、［００１１］、図１）
【発明の開示】
【発明が解決しようとする課題】
【０００５】
本発明は上述した事情を考慮してなされたもので、パタークラブのふらつきを防止して、プレーヤの手元を安定させて、ミスパットを減少させ、カップイン率を高めることができるパタークラブを提供することを目的とする。
【課題を解決するための手段】
【０００６】
上記目的を達成するため、本発明に係るパタークラブは、打球用フェースを備えたパターヘッドと、このパターヘッドに取付けられたシャフトと、このシャフトの端部に取付けられたグリップとを有するパタークラブにおいて、このパタークラブ全体の重心がパターヘッドの先端からパタークラブの全長の４／９以上の位置にあることを特徴とする。
【０００７】
好適には、前記パタークラブの全長は１０００ｍｍ以下であって、前記重心の位置は前記グリップの端部から５００ｍｍ未満である。
【０００８】
また、好適には、前記パタークラブには、前記重心位置を調整するバランスウェートが設けられる。
【０００９】
また、好適には、前記バランスウエートは、前記シャフトのグリップ側端部から挿入、固定されていることを特徴とする。
【発明の効果】
【００１０】
本発明に係るパタークラブによれば、パタークラブのふらつきを防止して、プレーヤの手元を安定させて、ミスパットを減少させ、カップイン率を高めることができるパタークラブを提供することができる。
【発明を実施するための最良の形態】
【００１１】
以下、本発明に係るパタークラブの第１実施形態について添付図面を参照して説明する。
【００１２】
図１は本発明の第１実施形態に係るパタークラブの概念図である。
【００１３】
図１に示すように、本第１実施形態に係るパタークラブ１は、打球用フェースを備えたパターヘッド２と、このパターヘッド２に取付けられたシャフト３と、このシャフト３の端部に取付けられたグリップ４と、シャフト３の一端部３ａに挿入されたバランスウエート５からなっている。
【００１４】
パタークラブ１は、長さが８３８ｍｍ（３３インチ）〜８７６ｍｍ（３４．５インチ）など１０００ｍｍ以下のものが多く用いられる。
【００１５】
パターヘッド２は、ステンレス鍛造品、真鍮鍛造削出品あるいはこれらのフェース面にインサートを取付けたものが用いられ、パタークラブ構成部品中最大の質量を有する。
【００１６】
シャフト３は、先細形状のスチールシャフトあるいはカーボンシャフトが用いられる。
【００１７】
グリップ４は、ゴム製あるいは皮製であり、シャフト３の端部に弾性嵌合された後、強固に取付けられている。
【００１８】
バランスウェートを除くパタークラブ全体の質量、すなわち、パターヘッド２、シャフト３及びグリップ４の質量は、例えば３００〜５００ｇであり、パタークラブ１の重心Ｇをパターヘッド２の先端からパタークラブ１の全長Ｌの４／９以上の位置に調整するように、図２に示すような質量が５０〜３００ｇの金属製、例えば鉄または鉛の中実丸棒あるいは金属製中空丸棒からなるバランスウエート５が、グリップ４に挿入されたシャフト３の一端部３ａに挿入、固定されている。
【００１９】
これによりパタークラブの全長Ｌが例えば１０００ｍｍ以下の場合には、その重心Ｇは、パターヘッドの先端からパタークラブの全長の４／９以上の位置、好ましくはグリップ４の端部から５００ｍｍ未満の位置になる。
【００２０】
このように、質量が５０〜３００ｇの金属製中実丸棒あるいは金属製中空丸棒からなるバランスウエート５をシャフト３の一端部３ａに挿入、固定することにより、パターヘッド２が質量を有していても、容易に重心をパターヘッド２の先端からパタークラブ１の全長Ｌの４／９以上の位置に調整することができる。なお、バランスウェートの取付け位置は、グリップ内に限らず、重心をパターヘッドの先端からパタークラブの全長の４／９以上の位置に調整できれば、シャフト内であってもよい。
【００２１】
図１に示すようなパタークラブ１を用いてプレーヤがパットを行うとき、その重心Ｇがパターヘッド２の先端からパタークラブ１の全長Ｌの４／９以上の位置にあり、パタークラブ１のふらつきが防止され、手元は安定し、ボールをプレーヤが想定する目標線に向かって正確に転がすことができ、さらに、ボールを正確にヒットすることができ、ミスパットが減少し、カップイン率を高めることができる。
【００２２】
上記のように本第１実施形態のパタークラブによれば、パタークラブのふらつきを防止して、プレーヤの手元を安定させて、ミスパットを減少させ、カップイン率を高めることができる。
【００２３】
次に本発明に係るパタークラブの第２実施形態について説明する。
【００２４】
図１に示すように上記第１実施形態は、バランスウェートが１本の金属製中実丸棒あるいは金属製中空丸棒からなるのに対して、本第２実施形態は、バランスウェートが複数個に分割されている。
【００２５】
例えば、図３に示すように、パタークラブ１１に設けられたバランスウェート５１は、複数個のバランスウェート要素５１ａと、このバランスウェート要素５１ａをグリップ４１に対向するシャフト３１内に固定し、ほとんど質量を有さず弾性を有する発泡合成樹脂製の固定部材５１ｂと、この固定部材５１ｂを押圧しシャフト３１の端部３１ａに着脱自在に螺着されるキャップ５１ｃとからなっている。
【００２６】
従って、重心がパターヘッドの先端からパタークラブの全長Ｌの４／９以上の位置にすることができると共に、使用されるバランスウェート要素の個数を変えることにより、プレーヤの希望する位置に重心位置を容易に調整することができる。
【００２７】
また、本発明に係るパタークラブの第３実施形態について説明する。
【００２８】
図１に示すように上記第１実施形態は、シャフト端部がグリップエンドまで達しているのに対して、本第３実施形態は、短いシャフトにグリップが被覆されたバランスウェートが着脱自在に接続されている。
【００２９】
例えば、図４に示すように、パタークラブ１２のシャフト３２は、短めであり、このシャフト３２の端部３２ａにはグリップ４２が被覆された金属製中実丸棒あるいは金属製中空丸棒のバランスウェート５２が着脱自在に螺着され接続されている。
【００３０】
従って、重心がパターヘッドの先端からパタークラブの全長Ｌの４／９以上の位置にすることができると共に、質量の異なるバランスウェートに変えることにより、プレーヤの希望する位置に重心位置を容易に調整することができる。
【００３１】
また、本発明に係るパタークラブの第４実施形態について説明する。
【００３２】
図１に示すように上記第１実施形態は、バランスウェートが１本の金属製中実丸棒あるいは金属製中空丸棒がシャフト内に挿入されるのに対して、本第４実施形態は、バランスウェートがシャフトの外周に巻回される。
【００３３】
例えば、図５に示すように、パタークラブ１３のシャフト３３のグリップ４３側端部には、板状鉛のバランスウェート５３が巻回され、さらに、このバランスウェート５３を介してグリップ４３がシャフト３３に取付けられている。
【００３４】
従って、重心をパターヘッドの先端からパタークラブの全長Ｌの４／９以上の位置にすることができる。
【００３５】
また、本発明に係るパタークラブの第５実施形態について説明する。
【００３６】
図５に示すように上記第４実施形態は、バランスウェートがシャフトの外周に巻回されるのに対して、本第５実施形態は、グリップ自体の質量を大きくする。
【００３７】
例えば、図６に示すように、パタークラブ１４のシャフト３４に取付けられるグリップ４４は、大きな質量を持つ原料を用いるか、あるいは大きな質量を持つ添加物が混合された合成ゴムからなり、グリップ４４自体が従来のグリップに比べて大きな質量を有している。
【００３８】
従って、別個のバランスウェートを設けることなく、重心がパターヘッドの先端からパタークラブの全長Ｌの４／９以上の位置にすることができる。
【図面の簡単な説明】
【００３９】
【図１】本発明の第１実施形態に係るパタークラブの概念図。
【図２】本発明の第１実施形態に係るパタークラブに用いられるバランスウェートの取付け状態を示す縦断面図。
【図３】本発明の第２実施形態に係るパタークラブに用いられるバランスウェートの取付け状態を示す縦断面図。
【図４】本発明の第３実施形態に係るパタークラブに用いられるバランスウェートの取付け状態を示す縦断面図。
【図５】本発明の第４実施形態に係るパタークラブに用いられるバランスウェートの取付け状態を示す縦断面図。
【図６】本発明の第５実施形態に係るパタークラブの縦断面図。
【図７】従来のパタークラブの概念図。
【符号の説明】
【００４０】
１  パタークラブ
２  パターヘッド
３  シャフト
４  グリップ
５  バランスウエート
【図１】
2006014946.tif 000003
【図２】
2006014946.tif 000004
【図３】
2006014946.tif 000005
【図４】
2006014946.tif 000006
【図５】
2006014946.tif 000007
【図６】
2006014946.tif 000008
【図７】
2006014946.tif 000009